(57)【特許請求の範囲】
【請求項１】
電柱の一側に設けられたホールを介して前記電柱の内部空間へ挿入され、前記電柱の内面に接触して移動しながら、前記電柱内に埋設された鉄筋の磁場を検出する検出ユニットと、
前記検出ユニットが検出した鉄筋に対する磁場データの印加を受けて保存するデータロガーと、
前記データロガーに保存された磁場データの磁場の変化量に基づいて前記鉄筋の破断状態を検出する破断状態検出部とを含み、
前記検出ユニットは、
フレキシブルなロープ形状に形成され、前記電柱のホールを介して前記電柱の内部空間へ挿入される支持部と、
前記支持部の一端に放射状に結合し、折り畳みが可能な複数の支持アーム部と、
前記支持アーム部の一側に設置され、前記電柱の内面に接触して、前記電柱に埋設された鉄筋から発生する磁場を検出する磁場検出部とを含むことを特徴とする、電柱用鉄筋破断検出装置。
【請求項２】
前記複数の支持アーム部は、バー形状であり、
上端が前記支持部の一端に結合し且つ下端が前記電柱の内面に向かって湾曲するように形成され、
前記電柱の内面方向に弾性を持って前記磁場検出部を前記電柱の内面に接触させることを特徴とする、請求項１に記載の電柱用鉄筋破断検出装置。
【請求項３】
前記複数の支持アーム部は、バー形状であり、
上端が前記支持部の一端に結合し且つ下端が作動手段によって前記電柱の内面方向に広がって前記磁場検出部を前記電柱の内面に接触させることを特徴とする、請求項１に記載の電柱用鉄筋破断検出装置。
【請求項４】
前記作動手段は、
前記複数の支持アーム部を連結する折り畳みアームと、
一端が前記折り畳みアームの中央に連結され且つ他端が前記支持部を介して前記電柱の外部に露出し、前記電柱の外側に引っ張る動作によって前記折り畳みアームの中央を上方に移動させて前記支持アーム部の下端を前記電柱の内面方向に広げさせる作動部とを含むことを特徴とする、請求項３に記載の電柱用鉄筋破断検出装置。
【請求項５】
前記複数の支持アーム部は、バー形状であり、
上端が前記支持部の一端に結合し且つ中間部分が作動手段によって前記電柱の内面方向に広がって前記磁場検出部を前記電柱の内面に接触させることを特徴とする、請求項１に記載の電柱用鉄筋破断検出装置。
【請求項６】
前記作動手段は、
前記支持部から下方に延びる軸と、
前記複数の支持アーム部の下端が固定され、前記軸に移動可能に結合する移動ブロックと、
一端が前記移動ブロックに結合し且つ他端が前記電柱の外側に配置され、前記移動ブロックを前記軸上で移動させる作動部とを含むことを特徴とする、請求項５に記載の電柱用鉄筋破断検出装置。
【発明の詳細な説明】
【技術分野】
【０００１】
本発明は、電柱用鉄筋破断検出装置に関し、より詳細には、コンクリート電柱などの内部に鉄筋が埋設された構造物から鉄筋破断を検出することができる電柱用鉄筋破断検出装置に関する。
【背景技術】
【０００２】
一般に、配電線路に用いられる支持物は、ほとんどがコンクリート電柱であって、プレストレスト（Ｐ．Ｓ）コンクリート構造となる。Ｐ．Ｓコンクリート電柱は、長期使用の際に、電柱内部の鉄筋が破断する原因によってコンクリートが倒壊する事故が発生する。
【０００３】
Ｐ．Ｓコンクリート構造は、曲げモーメントを鉄筋の引張力で支持するように設計されるので、電柱内部の鉄筋が破断して引張力を失ってしまうと、コンクリート電柱が倒壊する事故が発生する。
【０００４】
最近、コンクリート電柱を交換するために、作業者が電柱に接続されたケーブルを切断すると、力のバランスの崩れに伴い電柱が突然倒壊して安全事故が発生した事例がある。
【０００５】
Ｐ．Ｓコンクリート電柱を使用する韓国の場合、電柱に変圧器、開閉器などのさまざまな装置が設置されているので、コンクリート内部の鉄筋が破断することによる事故発生の危険が非常に高い。よって、コンクリート内部の鉄筋が破断することを診断して、倒壊事故が発生する前に電柱を交換または補強することが必要である。
【０００６】
これに関連した先行特許として、韓国公開特許第１０−２０１４−００４２２４０号（２０１４年４月７日公開）がある。
【０００７】
ところが、先行特許は、スマートフォン機能の一つであるセンサーを用いてコンクリート電柱内の鉄筋破断部位を診断する方法であって、破断部の近くでのみ鉄筋破断を診断することができるため、遠隔地では鉄筋破断を診断することが難しいという問題点がある。
【０００８】
すなわち、図１ａに示すように、コンクリート電柱１の地表面２の上部で鉄筋破断Ｐが発生すると、コンクリート電柱１にセンサーを接触させて鉄筋破断有無の検出が可能であるが、図１ｂに示すように、コンクリート電柱１の地表面２の下部で鉄筋破断Ｐが発生すると、センサーの接触が不可能であって鉄筋破断の検出が不可能である。
【０００９】
また、先行特許は、複数の鉄筋を検査するために電柱の外表面に円周に沿ってセンサーを順次配置しなければならないだけでなく、鉄筋を長さ方向に検査するために上下方向に移動しながら鉄筋破断状態を検査しなければならないので、作業性が低いため相当の作業時間を要するという問題点がある。
【先行技術文献】
【特許文献】
【００１０】
【特許文献１】韓国公開特許第１０−２０１４−００４２２４０号
【発明の概要】
【発明が解決しようとする課題】
【００１１】
そこで、本発明の目的は、コンクリート電柱などの内部に鉄筋が埋設された構造物から、電柱の内側で鉄筋の長さ方向に沿って移動しながら鉄筋からの磁場を検出することにより、地表面下部の鉄筋の破断有無を検出することができ、複数の鉄筋破断状態も同時に検出することができるようにした電柱用鉄筋破断検出装置を提供することにある。
【課題を解決するための手段】
【００１２】
上記の目的を達成するための本発明の特徴によれば、本発明は、電柱の一側に設けられたホールを介して前記電柱の内部空間へ挿入され、前記電柱の内面に接触して移動しながら、前記電柱内に埋設された鉄筋の磁場を検出する検出ユニットと、前記検出ユニットが検出した鉄筋に対する磁場データの印加を受けて保存するデータロガーと、前記データロガーに保存された磁場データの磁場の変化量に基づいて前記鉄筋の破断状態を検出する破断状態検出部とを含む。
【００１３】
前記検出ユニットは、フレキシブルなロープ形状に形成され、前記電柱のホールを介して前記電柱の内部空間へ挿入される支持部と、前記支持部の一端に放射状に結合し、折り畳みが可能な複数の支持アーム部と、前記支持アーム部の一側に設置され、前記電柱の内面に接触して、前記電柱内に埋設された鉄筋から発生する磁場を検出する磁場検出部とを含んでいてもよい。
【００１４】
前記複数の支持アーム部は、バー形状であり、上端が前記支持部の一端に結合し且つ下端が前記電柱の内面に向かって湾曲するように形成され、前記電柱の内面方向に弾性を持って前記磁場検出部を前記電柱の内面に接触させるものであってもよい。
【００１５】
前記複数の支持アーム部は、バー形状であり、上端が前記支持部の一端に結合し且つ下端が作動手段によって前記電柱の内面方向に広がって前記磁場検出部を前記電柱の内面に接触させるものであってもよい。
【００１６】
前記作動手段は、前記複数の支持アーム部を連結する折り畳みアームと、一端が前記折り畳みアームの中央に連結され且つ他端が前記支持部を介して前記電柱の外部に露出し、前記電柱の外側に引っ張る動作によって前記折り畳みアームの中央を上方に移動させて前記支持アーム部の下端を前記電柱の内面方向に広げさせる作動部とを含んでいてもよい。
【００１７】
前記複数の支持アーム部は、バー形状であり、上端が前記支持部の一端に結合し且つ中間部分が作動手段によって前記電柱の内面方向に広がって前記磁場検出部を前記電柱の内面に接触させるものであってもよい。
【００１８】
前記作動手段は、前記支持部から下方に延びる軸と、前記複数の支持アーム部の下端が固定され、前記軸に移動可能に結合する移動ブロックと、一端が前記移動ブロックに結合し且つ他端が前記電柱の外側に配置され、前記移動ブロックを前記軸上で移動させる作動部とを含んでいてもよい。
【発明の効果】
【００１９】
本発明は、電柱内に埋設された鉄筋の長さ方向に沿って電柱の内側で移動しながら、鉄筋から発生する磁場を検出することができるので、地表面の下部に埋め込まれた電柱の下端部に対応する鉄筋の破断状態を容易に検出することができるという効果がある。
【００２０】
また、本発明は、磁場検出部の結合した支持アーム部が支持部の一端に放射状に結合した複数個から構成され、磁場検出部を電柱の内面に密着接触させるので、複数の鉄筋破断状態も同時に検出することができるという効果がある。
【図面の簡単な説明】
【００２１】
【図１ａ】コンクリート電柱の地表面の上部部分に対する鉄筋破断例を示す図である。
【図１ｂ】コンクリート電柱の地表面の下部部分に対する鉄筋破断例を示す図である。
【図２】本発明の一実施形態に係る電柱用鉄筋破断検出装置を示す図である。
【図３】本発明の一実施形態に係る電柱用鉄筋破断検出装置をコンクリート電柱の内部空間に挿入して鉄筋破断を検出する方法を示す図である。
【図４】本発明の一実施形態に係る電柱用鉄筋破断検出装置をコンクリート電柱の内部空間に挿入して鉄筋破断を検出する方法を示す図である。
【図５】図２を用いて磁場を検出した複数の鉄筋に対する磁場データを示すグラフである。
【図６】本発明の他の実施形態に係る電柱用鉄筋破断検出装置を示す図である。
【図７】本発明の他の実施形態に係る電柱用鉄筋破断検出装置をコンクリート電柱の内部空間に挿入して鉄筋破断を検出する方法を示す図である。
【図８】本発明の別の実施形態に係る電柱用鉄筋破断検出装置を示す図である。
【図９】本発明の別の実施形態に係る電柱用鉄筋破断検出装置をコンクリート電柱の内部空間に挿入して鉄筋破断を検出する方法を示す図である。
【発明を実施するための形態】
【００２２】
以下、本発明の好適な実施形態を添付図面を参照して詳細に説明する。
【００２３】
本発明の一実施形態に係る電柱用鉄筋破断検出装置は、図２に示すように、検出ユニット１０、データロガー２０及び破断状態検出部３０を含む。
【００２４】
検出ユニット１０は、コンクリート電柱１の一側に設けられたホール３を介して電柱１の内部空間５へ挿入され、電柱１の内面に接触して移動しながら、電柱１内に埋設された鉄筋７、９の磁場を検出する。
【００２５】
電柱１の内部には、通常１６個の鉄筋７、９が円形の形状に一定の間隔で埋設される。電柱１の内部に埋設された鉄筋７、９の長さは、地表面から底部まで約２．５ｍ（１６ｍの電柱の場合）となる。
【００２６】
上述したような場合、電柱１の一側に設けられたホール３を介して電柱１の内部空間５へ挿入して電柱１の内側で、電柱１の地面に埋め込まれた地表面下部の鉄筋７、９の破断状態を検出することができ、複数の鉄筋破断状態も同時に検出することができるようにしたものである。
【００２７】
ホール３は、電柱１の足場支持ピンが結合するホールであってもよい。足場支持ピンが結合するホール３は電柱に予め設けられているもので、電柱１に検出ユニット１０を挿入するための別のホールを設けなくてもよいので、最小限の穿孔によって鉄筋破断状態を検出することができる。
【００２８】
検出ユニット１０は、支持部１１、支持アーム部１３及び磁場検出部１５を含む。
【００２９】
支持部１１は、フレキシブルなロープ形状を有し、コイル状に巻かれて形成されることができる。支持部１１は、電柱１のホール３を介して挿入され、支持アーム部１３及び磁場検出部１５を電柱１の内部空間５に配置させる役割を果たす。
【００３０】
支持部１１は、他端の一部が電柱１の外部に配置され、作業者が把持して支持アーム部１３を作動することができるようにする。
【００３１】
支持アーム部１３は、支持部１１の一端に放射状に結合し、折り畳みが可能な複数個から構成される。すなわち、支持アーム部１３は、複数の鉄筋からの磁場を同時に検出することができるように、複数個が放射状に支持部１１の一端に結合する。支持アーム部１３の個数は、電柱１内に埋設された鉄筋の個数に対応することが好ましい。
【００３２】
支持アーム部１３は、バー形状を有し、上端が支持部１１の一端に結合し且つ下端が電柱の内面に向かって湾曲するように形成される。支持アーム部１３は、電柱の内面方向に弾性を持って磁場検出部１５を電柱の内面に接触させる。
【００３３】
磁場検出部１５は、支持アーム部１３の一側に設置され、電柱１の内面に接触して、電柱１内に埋設された鉄筋７、９から発生する磁場を検出する。一実施形態において、磁場検出部１５は、支持アーム部１３の下端に設置され、支持アーム部１３の弾性によって電柱の内面に接触した状態で鉄筋７、９からの磁場を検出する。
【００３４】
磁場検出部１５は、電柱１の内面に接触した状態で支持部１１を上方に引っ張る作業によって鉄筋７、９の長さ方向に移動しながら鉄筋７、９の磁場を検出する。
【００３５】
磁場検出部１５は、電柱１の内面に接触した状態での移動を容易にするために、球状に形成されることができる。磁場検出部１５は、電磁気誘導現象によって鉄筋７、９から発生する電流である磁場を測定する磁気センサーであってもよい。 
【００３６】
データロガー２０及び破断状態検出部３０は電柱の外側に配置される。
【００３７】
データロガー２０は、検出ユニット１０が検出した鉄筋７、９に対する磁場データの印加を受けて保存する。データロガー２０は、検出ユニット１０と電気的に接続され、実質的に検出ユニット１０の磁場検出部１５が検出した鉄筋７、９に対する磁場データの印加を受けて保存する。
【００３８】
破断状態検出部３０は、磁場検出部１５で検出された鉄筋７、９の磁場の変化量に基づいて鉄筋の破断状態を検出する。具体的には、破断状態検出部３０は、データロガー２０と電気的に接続され、データロガー２０に保存された磁場データの伝送を受けることができ、データロガー２０に保存された磁場データの磁場の変化量に基づいて鉄筋の破断状態を検出する。
【００３９】
以下、一実施形態の作用について説明する。
【００４０】
図３に示すように、検出ユニット１０を電柱１のホール３を介して挿入して、支持部１１、支持アーム部１３及び磁場検出部１５が電柱１の内部空間５に配置されるようにする。
【００４１】
このため、作業者は、複数の支持アーム部１３を手で把持して折り畳んだ状態にした後、電柱１の一側に設けられた足場支持ピンが結合するホール３を介して電柱１の内部空間５へ挿入する。
【００４２】
複数の支持アーム部１３は、電柱１の内部空間５に挿入される過程で弾性によって下端が電柱の内面に向かって広がる。よって、各支持アーム部１３の下端に結合した磁場検出部１５が電柱１の内面に接触する。
【００４３】
このとき、複数の支持アーム部１３が支持部１１の一端に放射状に結合しているので、各支持アーム部１３の下端が電柱１の内面に円周方向に広がり、各支持アーム部１３に結合した磁場検出部１５が電柱１の内面に円周方向に支持され得る。
【００４４】
この状態で、電柱１の内部に埋設された複数の鉄筋７、９から磁場を同時に検出することができる。
【００４５】
その後、図４に示すように、電柱１の外側に配置された支持部１１を引っ張って支持アーム部１３を上方に移動させながら磁場を検出する。
【００４６】
すなわち、支持アーム部１３が上方に移動すると、各支持アーム部１３の下端に結合した磁場検出部１５が電柱１の内面に接触した状態で上方に移動するので、各鉄筋７、９から発生する磁場を鉄筋７、９の長さ方向に沿って検出することができる。
【００４７】
磁場検出部１５が検出した鉄筋７、９に対する磁場データはデータロガー２０に保存される。
【００４８】
また、破断状態検出部３０は、データロガー２０に保存された磁場データに基づいて各鉄筋７、９に対する磁場の変化量を検出し、検出された磁場の変化量に基づいて鉄筋７、９の破断状態を検出する。
【００４９】
図５には本発明の一実施形態を適用して磁場を検出した複数の鉄筋に対する磁場データを示す。
【００５０】
図５の図示によれば、磁場の変化量が急激な部分が確認される。磁場の変化量が急激な部分で鉄筋が破断状態であることが検出される。
【００５１】
一実施形態を適用する場合には、複数の鉄筋のうち破断した鉄筋を検出することができ、破断した位置も正確に検出することができる。すなわち、地面に埋設された電柱の下端部と対応する位置の鉄筋の破断状態も容易に検出することができる。
【００５２】
以下、本発明の他の実施形態を添付図面を参照して詳細に説明する。
【００５３】
本発明の他の実施形態に係る電柱用鉄筋破断検出装置は、検出ユニット４０の形状が一実施形態のそれとは異なる。データロガー２０及び破断状態検出部３０は、本発明の一実施形態と構成及び作用が同一なので、詳細な説明を省略する。
【００５４】
図６に示すように、検出ユニット４０は、支持部４１、支持アーム部４３及び磁場検出部４５を含む。
【００５５】
図７に示すように、支持部４１は、フレキシブルなロープ形状を有し、コイル状に巻かれて形成されることができる。支持部４１は、電柱１のホール３を介して挿入され、支持アーム部４３及び電場検出部４５を電柱１の内部空間５に配置させる役割を果たす。
【００５６】
支持部４１は、他端の一部が電柱１の外部に配置され、作業者が把持して支持アーム部４３を作動することができるようにする。 
【００５７】
支持アーム部４３は、支持部４１の一端に放射状に結合し、折り畳みが可能な複数個から構成される。複数の支持アーム部４３は、バー形状を有し、上端が支持部４１の一端に結合し且つ下端が作動手段５１によって電柱１の内面方向に広がって磁場検出部４５を電柱１の内面に接触させる。
【００５８】
磁場検出部４５は、電柱の内面に接触した状態での上下移動を容易にするために球状に形成される。
【００５９】
作動手段５１は、折り畳みアーム５３及び作動部５７を含む。 
【００６０】
折り畳みアーム５３は複数の支持アーム部４３を連結する。具体的に、折り畳みアーム５３は複数の支持アーム部４３を同一の距離上で連結する。
【００６１】
作動部５７は、折り畳みアーム５３の中央部分を上方に引っ張る作業によって支持アーム部４３の下端が電柱１の内面方向に広がるようにする。
【００６２】
作動部５７は、一端が折り畳みアーム５３の中央に連結され、他端が支持部４１を介して電柱の外部に露出する。作動部５７の他端を電柱１の外側方向に引っ張ると、折り畳みアーム５３の中央部分が上方に移動しながら支持アーム部４３の下端を電柱１の内面方向に広げさせることができる。
【００６３】
作動部５７は、電柱１の上方もしくは電柱１の下方に移動しながら、折り畳みアーム５３の中央部分が上下方向に移動する動力を提供するので、スチールケーブルのように剛性のある紐状に形成することが好ましい。
【００６４】
各支持アーム部４３の下端が電柱１の内面方向に広がると、支持アーム部４３の下端に結合した磁場検出部４５が電柱１の内面に接触する。
【００６５】
折り畳みアーム５３の中央に形状保持部５５がさらに備えられる。実質的に、形状保持部５５に作動部５７の一端が連結される。形状保持部５５は、上方に引っ張られると、支持アーム部４３の内側を電柱１の内面方向に押して支持アーム部４３の下端を放射状に広げさせる役割を果たす。
【００６６】
以下、他の実施形態の作用について説明する。
【００６７】
図７に示すように、検出ユニット４０を電柱１のホール３を介して挿入して、支持部４１、支持アーム部４３及び電場検出部４５を電柱１の内部空間５に配置させる。
【００６８】
このため、作業者は、作動部５７を下方に押して複数の支持アーム部４３を折り畳んだ状態にした後、これを、電柱１の一側に設けられた足場支持ピンが結合するホール３を介して電柱１の内部空間５へ挿入する。
【００６９】
支持アーム部４３が折り畳まれた状態で電柱１の内部空間５に挿入されると、作動部５７を電柱１の上方に引っ張って折り畳みアーム５３の中央部分、すなわち形状保持部５５が上方に引っ張られるようにする。
【００７０】
形状保持部５５が上方に引っ張られると、支持アーム部４３の内側が電柱１の内面方向に押されて移動しながら支持アーム部４３の下端が放射状に広がる。これにより、支持アーム部４３の下端に結合した磁場検出部４５が電柱１の内面に容易に密着接触する。
【００７１】
この状態で、電柱１の内部に埋設された複数の鉄筋７、９から磁場を同時に検出することができる。
【００７２】
その後、電柱１の外側に配置された支持部４１を引っ張って支持アーム部４３を上方に移動させながら磁場を検出することができる。
【００７３】
すなわち、支持アーム部４３が上方に移動すると、各支持アーム部４３の下端に結合した磁場検出部４５が電柱１の内面と密着接触した状態で上方に移動するので、各鉄筋７、９から発生する磁場を鉄筋７、９の長さ方向に沿って検出することができる。
【００７４】
以下、本発明の別の実施形態を添付図面を参照して詳細に説明する。
【００７５】
本発明の別の実施形態に係る電柱用鉄筋破断検出装置は、検出ユニット６０の形状が一実施形態および他の実施形態のそれとは異なる。データロガー２０及び破断状態検出部３０は、本発明の一実施形態と構成及び作用が同一なので、詳細な説明を省略する。
【００７６】
図８に示すように、検出ユニット６０は、支持部６１、支持アーム部６３及び電場検出部６５を含む。 
【００７７】
図９に示すように、支持部６１は、フレキシブルなロープ形状を有し、コイル状に巻かれて形成されることができる。支持部６１は、電柱１のホール３を介して挿入され、支持アーム部６３及び電場検出部６５を電柱１の内部空間５に配置させる役割を果たす。
【００７８】
支持部６１は、他端の一部が電柱１の外部に配置され、作業者が把持して支持アーム部６３を作動することができるようにする。
【００７９】
支持アーム部６３は、支持部６１の一端に放射状に結合し、折り畳みが可能な複数個から構成される。複数の支持アーム部６３は、バー形状を有し、上端が支持部６１の一端に結合し、中間部分が作動手段７１によって電柱１の内面方向に広がって磁場検出部６５を電柱１の内面に接触させる。
【００８０】
磁場検出部６５は支持アーム部６３の中間部分に結合する。磁場検出部６５は、電柱１の内面に接触した状態での上下移動を容易にするために球状に形成されることが好ましい。
【００８１】
作動手段７１は、軸７３、移動ブロック７５及び作動部７７を含む。
【００８２】
軸７３は、支持部６１の一端から下方に延びる。移動ブロック７５は、複数の支持アーム部６３の下端が固定され、軸７３に移動可能に結合する。軸７３は円筒状に形成され、移動ブロック７５は中央に軸７３が通過する通過孔を有する円筒状に形成されることができる。
【００８３】
作動部７７は、一端が移動ブロック７５に結合し、他端が電柱１の外側に配置される。作動部７７は、移動ブロック７５を軸７３上で移動させる役割を果たす。 
【００８４】
作動部７７は、電柱１の上方または電柱１の下方に移動しながら、移動ブロック７５が軸７３上で上下方向に移動する動力を提供するので、スチールケーブルのように剛性のある紐状に形成することが好ましい。
【００８５】
支持アーム部６３は、上端が支持部６１の一端に固定され、下端が移動ブロック７５に固定される。それにより、支持アーム部６３は、移動ブロック７５を軸７３上で上方に移動させると、中間部分を電柱１の内面方向に湾曲しながら広げさせることができる。
【００８６】
各支持アーム部６３の中間部分が電柱１の内面方向に湾曲しながら広がると、支持アーム部６３の中間部分に結合した磁場検出部６５が電柱１の内面に密着接触することができる。
【００８７】
以下、別の実施形態の作用について説明する。
【００８８】
図９に示すように、検出ユニット６０を電柱１のホール３を介して挿入して支持部６１、支持アーム部６３及び電場検出部６５を電柱１の内部空間５に配置させる。
【００８９】
このため、作業者は、作動部７７を下方に押して複数の支持アーム部６３を折り畳んだ状態にした後、電柱１の一側に設けられた足場支持ピンが結合するホール３を介して電柱１の内部空間５へ容易に挿入する。
【００９０】
支持アーム部６３を折り畳まれた状態で電柱１の内部空間５に挿入し、作動部７７を電柱１の上方に引っ張る。そうすると、支持アーム部６３の下端を固定している移動ブロック７５が上方に移動することにより、支持アーム部６３の中間部分が電柱の内面方向に向かって湾曲するように広がる。それにより、支持アーム部６３の中間部分に結合した磁場検出部６５が電柱の内面に容易に密着接触することができる。
【００９１】
この状態で、電柱１の内部に埋設された複数の鉄筋７、９から磁場を同時に検出することができる。
【００９２】
その後、電柱１の外側に配置された支持部６１を引っ張って支持アーム部６３を上方に移動させながら、鉄筋７、９から発生する磁場を検出することができる。
【００９３】
すなわち、支持アーム部６３が上方に移動すると、各支持アーム部６３の下端に結合した磁場検出部６５が電柱１の内面に密着接触した状態で上方に移動するので、各鉄筋７、９から発生する磁場を鉄筋７、９の長さ方向に沿って検出することができる。
【００９４】
上述した本発明の電柱用鉄筋破断検出装置は、電柱１の内側で、電柱１内に埋設された鉄筋７、９の長さ方向に沿って移動しながら、鉄筋から発生する磁場を検出することができるので、地面に埋設された電柱の下端部に対応する鉄筋の破断状態を検出することができる。
【００９５】
また、磁場検出部の結合した支持アーム部が支持部の一端に放射状に結合した複数個から構成されるので、複数の鉄筋破断状態を同時に検出することができる。 
【００９６】
本発明の権利範囲は、上述した実施形態に限定されず、特許請求の範囲に記載されたところによって定義され、本発明の技術分野における通常の知識を有する者が請求の範囲に記載された権利範囲内で様々な変形及び改変を行うことができるのは自明のことである。
【図１Ａ】
0006582135.tif 000002
【図１Ｂ】
0006582135.tif 000003
【図２】
0006582135.tif 000004
【図３】
0006582135.tif 000005
【図４】
0006582135.tif 000006
【図５】
0006582135.tif 000007
【図６】
0006582135.tif 000008
【図７】
0006582135.tif 000009
【図８】
0006582135.tif 000010
【図９】
0006582135.tif 000011